(57)【要約】【課題】撮影画像を見やすく表示して構図やパラメータの調節を容易に行うことができるとともに、アルバム画面をユーザが容易に撮影行為の過程で確認できるようにする。【解決手段】被写体像を撮像して画像データを生成する撮像手段と、電子アルバムのレイアウトに係る情報を記述した所定のデータを記録媒体から読み込むことによって、前記撮像手段により生成された画像データを用いて、前記撮像手段によって撮像された撮像画像をアルバムの形態で表現した画像を生成するデータ処理手段と、前記撮像手段によって撮像された撮像画像を表示する表示手段と、前記撮像手段の撮影準備が完了したことに応じて、前記データ処理手段によって生成された画像を前記表示手段に表示させるよう制御する制御手段とを設け、簡単な操作により好適なタイミングで電子アルバムの表示状態に遷移できるようにする。【選択図】図３
2011176794.tif 000002
【特許請求の範囲】
【請求項１】
被写体像を撮像して画像データを生成する撮像手段と、
電子アルバムのレイアウトに係る情報を記述した所定のデータを記録媒体から読み込むことによって、前記撮像手段により生成された画像データを用いて、前記撮像手段によって撮像された撮像画像をアルバムの形態で表現した画像を生成するデータ処理手段と、
前記撮像手段によって撮像された撮像画像を表示する表示手段と、
前記撮像手段の撮影準備が完了したことに応じて、前記データ処理手段によって生成された画像を前記表示手段に表示させるよう制御する制御手段と、を有することを特徴とする撮像装置。
【請求項２】
前記データ処理手段によって生成された画像は、少なくとも複数の画像の配置を設定するための複数の画像設定枠と、前記撮像手段によって撮像された複数の撮像画像とを有し、
前記制御手段は、前記複数の画像設定枠のうち、設定の対象となっている画像設定枠内に撮像中の撮像画像を表示させることを特徴とする請求項１に記載の撮像装置。
【請求項３】
２段階のスイッチ構成を有するレリーズスイッチをさらに有し、
前記撮像手段は、前記レリーズスイッチの第一段階目の押下を検出することに応じて複数の撮像パラメータに従った撮影準備を行い、
前記制御手段は、前記複数の撮像パラメータに従った撮影準備が完了した後に、前記データ処理手段によって生成された画像を前記表示手段に表示させるよう制御することを特徴とする請求項１または２に記載の撮像装置。
【請求項４】
前記撮像装置の姿勢を検知して姿勢情報を出力する姿勢検知手段をさらに有し、
前記制御手段は、前記姿勢検知手段から取得した姿勢情報と、これから撮影する撮影画像の設定対象となる画像設定枠の縦横比の情報とを比較し、前記姿勢情報と前記設定対象となる画像設定枠の縦横比に不一致がある場合には、警告メッセージを前記表示手段に表示させるよう制御することを特徴とする請求項２に記載の撮像装置。
【請求項５】
前記表示手段は、前記撮像手段の撮影準備が完了したことを条件として、所定のアイコンまたはメニューを表示し、
前記制御手段は、前記所定のアイコンまたはメニューが表示され、かつ前記所定のアイコンまたはメニューがユーザによって選択指示されたことに応じて、前記データ処理手段によって生成された画像を前記表示手段に表示させるよう制御することを特徴とする請求項１乃至４のいずれか１項に記載の撮像装置。
【請求項６】
前記撮像手段によって撮像された撮像画像の画像データと前記電子アルバムのレイアウトとを関連付けて登録することによって、電子アルバムデータを生成する生成手段をさらに有することを特徴とする請求項１乃至５のいずれか１項に記載の撮像装置。
【請求項７】
被写体像を撮像して画像データを生成する撮像手段と、
電子アルバムのレイアウトに係る情報を記述した所定のデータを読み込むことによって、前記撮像手段により生成された画像データを用いて、前記撮像手段によって撮像された撮像画像をアルバムの形態で表現した画像を生成するデータ処理手段と、
前記撮像手段によって静止画の撮像が行われた後、前記静止画の確認表示を行う表示手段と、
前記表示手段が前記静止画の確認表示を行っている間に、前記データ処理手段によって生成された画像を表示するようにするための選択可能な所定のアイコンまたはメニューを前記表示手段に表示させるよう制御する制御手段と、を有することを特徴とする撮像装置。
【請求項８】
前記撮像手段によって撮像された撮像画像の画像データと前記電子アルバムのレイアウトとを関連付けて登録することによって、電子アルバムデータを生成する生成手段をさらに有し、
前記表示手段は、前記静止画の撮像が行われた後、かつ、前記静止画が前記生成手段によって電子アルバムに登録される前に、前記静止画の確認表示を行うとともに、前記所定のアイコンまたはメニューを表示し、
前記制御手段が、前記所定のアイコンまたはメニューがユーザによって選択指示されたことに応じて、前記データ処理手段によって生成された画像を前記表示手段に表示させるよう制御することを特徴とする請求項７に記載の撮像装置。
【請求項９】
前記データ処理手段によって生成された画像を前記表示手段に表示している間に、所定の操作部を操作することに応じて前記静止画のトリミング処理を行うトリミング手段をさらに有することを特徴とする請求項７または８に記載の撮像装置。
【請求項１０】
被写体像を撮像して画像データを生成する撮像工程と、
電子アルバムのレイアウトに係る情報を記述した所定のデータを記録媒体から読み込むことによって、前記撮像工程により生成された画像データを用いて、前記撮像工程において撮像された撮像画像をアルバムの形態で表現した画像を生成するデータ処理工程と、
前記撮像工程において撮像された撮像画像を表示装置に表示する表示工程と、
前記撮像工程の撮影準備が完了したことに応じて、前記データ処理工程において生成された画像を前記表示装置に表示させるよう制御する制御工程と、を有することを特徴とする撮像方法。
【請求項１１】
被写体像を撮像して画像データを生成する撮像工程と、
電子アルバムのレイアウトに係る情報を記述した所定のデータを読み込むことによって、前記撮像工程により生成された画像データを用いて、前記撮像工程において撮像された撮像画像をアルバムの形態で表現した画像を生成するデータ処理工程と、
前記撮像工程において静止画の撮像が行われた後、前記静止画の確認表示を行う表示工程と、
前記表示工程が前記静止画の確認表示を行っている間に、前記データ処理工程において生成された画像を表示装置に表示するようにするための選択可能な所定のアイコンまたはメニューを前記表示装置に表示させるよう制御する制御工程と、を有することを特徴とする撮像方法。
【請求項１２】
被写体像を撮像して画像データを生成する撮像工程と、
電子アルバムのレイアウトに係る情報を記述した所定のデータを記録媒体から読み込むことによって、前記撮像工程により生成された画像データを用いて、前記撮像工程において撮像された撮像画像をアルバムの形態で表現した画像を生成するデータ処理工程と、
前記撮像工程において撮像された撮像画像を表示装置に表示する表示工程と、
前記撮像工程の撮影準備が完了したことに応じて、前記データ処理工程において生成された画像を前記表示装置に表示させるよう制御する制御工程とをコンピュータに実行させることを特徴とするプログラム。
【請求項１３】
被写体像を撮像して画像データを生成する撮像工程と、
電子アルバムのレイアウトに係る情報を記述した所定のデータを読み込むことによって、前記撮像工程により生成された画像データを用いて、前記撮像工程において撮像された撮像画像をアルバムの形態で表現した画像を生成するデータ処理工程と、
前記撮像工程において静止画の撮像が行われた後、前記静止画の確認表示を行う表示工程と、
前記表示工程が前記静止画の確認表示を行っている間に、前記データ処理工程において生成された画像を表示装置に表示するようにするための選択可能な所定のアイコンまたはメニューを前記表示装置に表示させるよう制御する制御工程とをコンピュータに実行させることを特徴とするプログラム。
【請求項１４】
請求項１２または１３に記載のプログラムを記憶したことを特徴とするコンピュータ読み取り可能な記憶媒体。
【発明の詳細な説明】
【技術分野】
【０００１】
本発明は撮像装置及び撮像方法に関し、特に、画像の撮像動作と並行して電子アルバムを作成する機能を有する撮像装置に関する。
【背景技術】
【０００２】
デジタルスチルカメラを用いて、写真を撮影しながら電子アルバム・ファイルをデジタルスチルカメラ内で作成する技術が提案されている（特許文献１参照）。この特許文献１の技術を用いることで、デジタルスチルカメラで撮影された画像データを使用し、デジタルスチルカメラ単体で電子アルバムを作成することが可能である。
【０００３】
また、複数枚の画像を、予め決められたテンプレートに配置することが可能なデジタルスチルカメラが提案されている（特許文献２参照）。特許文献２にて提案されたデジタルスチルカメラでは、撮影前、または撮影後の画像が、予めテンプレート内に用意されている画像設定枠に割り当てて表示することができる。この特許文献２の技術を用いることで、画像がテンプレート上でどのように配置されるかを確認しながら撮影することが可能である。
【０００４】
かかる従来技術を用いることにより、デジタルスチルカメラで撮影した画像を用いて電子アルバムを作成する際に、撮影した画像がどのように電子アルバムに配置されるのかを確認するための表示機能として、以下のような機能が得られる。
第１の機能として、撮影前の液晶画面に画像設定枠を有する電子アルバム画面を表示させ、画像設定枠内に撮影画像（ライブビュー映像）を表示する機能。
第２の機能として、撮影後の画像を確認する再生表示（レックレビュー表示）時に、撮影済みの画像をはめ込んだ電子アルバム画面を液晶画面に表示する機能。
【先行技術文献】
【特許文献】
【０００５】
【特許文献１】特開２００４−２７４５００号公報
【特許文献２】特開２００８−０１７２３８号公報
【発明の概要】
【発明が解決しようとする課題】
【０００６】
しかしながら、従来技術の構成から想定される電子アルバム作成機能付きデジタルスチルカメラにおいて、前述した第１の機能を用いた場合、デジタルスチルカメラの小さい液晶画面に画像設定枠を有する電子アルバムの画面を表示することになる。このため、画像設定枠内の撮影画像の表示面積も相対的に小さくなってしまうので、撮影動作が阻害され、カメラの撮影パラメータを変更した場合などは、パラメータの変更がどのように撮影画像に反映されるかを確認しづらくなるという問題がある。
【０００７】
また、第２の機能を用いた場合、電子アルバム上でのレイアウトの確認は、撮影行為を行った後のレックレビュー表示のタイミングで行うことになる。ここで、レックレビュー表示とは、撮像した画像を確認するために、撮像した画像を記録媒体に記録した際に、予め定められた時間（レビュー時間）の間、撮像した画像を表示画面に再生表示することである。このため、撮影された画像を電子アルバムに登録した結果が気に入らない状況であった場合は、電子アルバムから登録済画像を削除するための修正処理を実行する必要がある。これは、利用者に無駄な処理を要求してしまうといった課題がある。
本発明は前述の問題点に鑑み、撮影画像を見やすく表示して構図やパラメータの調節を容易にする。そして、簡単な操作により好適なタイミングで電子アルバムの表示状態に遷移できるようにして、作成されるアルバム画面をユーザが容易に撮影行為の過程で確認できるようにすることを目的とする。
【課題を解決するための手段】
【０００８】
本発明の撮像装置は、被写体像を撮像して画像データを生成する撮像手段と、電子アルバムのレイアウトに係る情報を記述した所定のデータを記録媒体から読み込むことによって、前記撮像手段により生成された画像データを用いて、前記撮像手段によって撮像された撮像画像をアルバムの形態で表現した画像を生成するデータ処理手段と、前記撮像手段によって撮像された撮像画像を表示する表示手段と、前記撮像手段の撮影準備が完了したことに応じて、前記データ処理手段によって生成された画像を前記表示手段に表示させるよう制御する制御手段と、を有することを特徴とする。
【発明の効果】
【０００９】
本発明によれば、撮影中の映像を表示して構図やパラメータの調節を容易にできるとともに、簡単な操作により好適なタイミングで電子アルバム画面を表示できる。
【図面の簡単な説明】
【００１０】
【図１】デジタルスチルカメラの構成例を説明するブロック図である。
【図２】デジタルスチルカメラの外観の一例を説明する図である。
【図３】電子アルバムを作成する手順の一例を説明するフローチャートである。
【図４】電子アルバムを作成する手順の他の例を説明するフローチャートである。
【図５】電子アルバムを作成する手順の他の例を説明するフローチャートである。
【図６】電子アルバムを作成する手順の他の例を説明するフローチャートである。
【図７】レリーズスイッチ半押し時における液晶画面の表示例を示した図である。
【図８】姿勢に不一致があることを警告するメッセージの表示例を説明する図である。
【図９】電子アルバム確認アイコン選択時の表示例を示した図である。
【図１０】撮影処理後に電子アルバムへの登録を行う際の表示例を示した図である。
【図１１】電子アルバムデータと、その表現の様子を示した図である。
【発明を実施するための形態】
【００１１】
以下、図面を参照しながら本発明の好適な実施の形態を説明する。
（第１の実施形態）
本発明を適用したデジタルスチルカメラに関する第１の実施形態を説明する。図１は、本実施形態を適用した撮像装置としてのデジタルスチルカメラ１００が備えている機能を説明するブロック図である。
【００１２】
図１において、１０１は撮像素子であり、レンズを通して入力されてくる被写体像を電気的な信号へ変換して画像信号を生成する。１０２は撮像制御部であり、撮像素子１０１から出力される電気信号をデジタルデータに変換して画像データ生成を行う。１０３はＣＰＵ（中央演算処理装置）であり、各モジュールの制御や、各モジュールから得られる情報に基づいて演算処理を行う。本実施形態においては、ＣＰＵ１０３が、画像データから表示用成形データを生成するデータ処理を行うなど、各種の装置制御処理を行う。１０４は表示制御部であり、表示部１０５への入出力を制御することで、表示部１０５への表示内容を制御する。
【００１３】
表示部１０５は、液晶画面とその表示処理部を具備し、表示制御部１０４から送られてくるデータに基づいて映像生成処理を行い、記録媒体１０７に記録した静止画を再生表示する。また、撮影中は撮像制御部１０２からのデジタルデータを使用して撮影画像（ライブビュー映像）を表示する。さらに、ユーザへのメニュー画面表示を行い、ユーザとの視覚的なインターフェースの役割を果たす。
【００１４】
１０６は記録制御部であり、ＣＰＵ１０３からの命令に従い、記録媒体１０７への各種データの読み出しや書き込みを制御する。本実施形態の記録媒体１０７は着脱式記録媒体である。ユーザは着脱式の記録媒体をデジタルスチルカメラ１００に装着することにより、撮影した静止画をデジタルデータとして書き込むことができる。静止画以外にも、デジタルスチルカメラ１００が管理する各種設定データや、電子アルバム用のレイアウト・データなども書き込むことができる。また、それらの書き込んだデータを、適時読み出すことができる。
【００１５】
１０８はＳＤＲＡＭ制御部であり、ＣＰＵ１０３からの命令に従い、ＳＤＲＡＭ１０９へデータを一時記録したり、ＳＤＲＡＭ１０９に記録されているデータを読み出したりする制御を行う。ＳＤＲＡＭ１０９は、デジタルスチルカメラ１００の内部状態や、処理待ちの静止画データを一時的に保存しておくために用いられる。１１０は画像処理部であり、撮像制御部１０２より送られてくる撮像データの現像処理及び必要に応じて圧縮符号化処理を行い、記録方式に合ったデータフォーマットに変換して静止画データを生成する。また、撮影画像の生成を行うこともできる。
【００１６】
１１１は内部ＲＡＭであり、画像処理部１１０が内部的に使用するための情報を保持しておくために用いられる。このように、内部ＲＡＭ１１１と画像処理部１１０とが直接繋がっていることにより、画像処理部１１０は高速に処理を実行することが可能になる。
【００１７】
１１２は姿勢検知制御部であり、ＣＰＵ１０３からの命令に従い姿勢検知部１１３を制御することによりデジタルスチルカメラ１００の姿勢情報を取得する。１１３は姿勢検知部であり、ジャイロセンサ等を具備し、姿勢検知制御部１１２の制御に応じて、撮像装置自身の姿勢を検知して、デジタルスチルカメラ１００の姿勢情報を取得する。１１４は操作部であり、ユーザからの指示入力を受けつける。
【００１８】
図２は、本発明を適用したデジタルスチルカメラ１００の外観の一例を説明する図である。
２０１は、全押し状態と、撮像開始予告を示す半押し状態との二段階での押下操作に対応したレリーズスイッチである。本実施形態においては、２段階のスイッチ構成を有するレリーズスイッチであり、第一段階目の押下をレリーズスイッチ半押し状態、第二段階目の押下をレリーズスイッチ全押し状態と定義する。レリーズスイッチ２０１は操作部１１４の一部である。
【００１９】
２０２は液晶画面であり、撮影モードでの撮影画像や作成する電子アルバムの画面を表示する。２０３はＥＶＦ（電子ビューファインダ）であり、液晶画面２０２と同様に撮影画像や、電子アルバムの画面を表示する。一般的には、撮影者がＥＶＦ２０３を覗き込みながら撮影することにより手ブレを軽減する撮影を行うことができる。液晶画面２０２及び２０３はいずれも、表示部１０５の液晶画面に対応する。
【００２０】
本実施形態においては、液晶画面２０２を第１の表示装置、ＥＶＦ２０３を第２の表示装置とする。２０４はズーム釦であり、撮影時のズーム倍率の調整を行うことができ、再生時は静止画に対する再生ズーム倍率の調整を行うことができる。２０５はＳＥＴ釦であり、メニューの設定における決定釦としての役割や、液晶画面２０２に表示されるアイコンを選択することが可能である。２０６は上下左右釦（十字キー）であり、メニュー画面におけるメニュー項目の選択や、静止画の再生ズーム中にズーム倍率を保ったまま液晶画面２０２上に表示される画像位置を移動させることが可能である。ズーム釦２０４、ＳＥＴ釦２０５、上下左右釦２０６は、いずれも操作部１１４の一部である。
【００２１】
図３は、本実施形態のデジタルスチルカメラ１００が、画像を撮影しながら電子アルバムを作成する手順の一例を説明するフローチャートである。本フローチャートは、コンピュータを有するＣＰＵ１０３の動作の制御内容を図示したものである。
Ｓ３００において、電子アルバム作成モードに入ることにより処理が開始される。次に、Ｓ３０１において、撮影パラメータの変更が行われたか否かの判定が行われる。ここで、撮影パラメータとは、画角/シャッター速度/絞り/ISO感度といった撮影時に調整することが可能なパラメータのことである。
【００２２】
Ｓ３０１の判定の結果、撮影パラメータに対する変更を検出した際にはＳ３０２へ移行し、変更されたパラメータの設定が行われる。Ｓ３０２での処理の後はＳ３０１に戻る。また、Ｓ３０１において、撮影パラメータへの変更が検出されなかった場合には、Ｓ３０３に移行する。
【００２３】
Ｓ３０３では、ユーザによりレリーズスイッチ２０１が撮像開始予告を示す半押し状態に操作されたか否かの判定が行われる。レリーズスイッチ２０１の半押しが検出されなかった場合は即座にＳ３０１へと戻る。また、レリーズスイッチ２０１の半押しを検出した場合には、Ｓ３０４へと移行する。Ｓ３０４においては、デジタルスチルカメラ１００は撮影の準備としてオートフォーカス（ＡＦ）の調整を実行する。次に、Ｓ３０５に移行し、同じく撮影の準備として露出の調整を実行する。Ｓ３０６ではシャッター速度の調整を実行する。そして最後にＳ３０７においてＩＳＯ感度の調整を実行する。ここまでの処理により、デジタルスチルカメラ１００は、撮影処理に向けた全撮影パラメータによる調整を完了する。
【００２４】
次に、Ｓ３０８に移行し、映像を掲載する電子アルバムデータの読み出しが行われる。ここで本実施形態における電子アルバムデータとは、図１１（ａ）に示すようなXMLで記載されたデータ構造を想定している。図１１（ａ）の例が示す通り、電子アルバム全体が第一階層の<Album>要素として管理されている。本実施形態においては、画像データを設定するための画像設定枠と、その配置情報を管理する電子アルバムの表示用データを少なくとも有している。
【００２５】
次に、第二階層として<AlbumAttribute>要素が存在している。<AlbumAttribute>要素は<Size>、<Design>要素から構成されており、アルバム全体に影響のある情報を管理している。<AlbumAttribute>要素の後は、同じく第二階層に<page>要素が連なっている。
【００２６】
<page>要素にはページ番号を示すNumber属性が付与されており、文字通り電子アルバムを構成するページ単位の情報を管理する要素である。各<page>要素は、電子アルバムのページ内の画像設定枠を管理するための<PictureFrame>要素を第三階層の要素として有している。<PictureFrame>要素は、ページ内で定義される画像設定枠の数だけ存在する。
【００２７】
本実施形態においては、２つの<PictureFrame>要素が存在している例を示している。各<PictureFrame>要素には、ページ内での画像設定枠の識別を目的として、ID属性が付与されている。また、<FileName>，<CoordinateX>，<CoordinateY>，<Height>，<Width>の五つの要素を第四階層の要素として管理している。すなわち、各画像設定枠に設定される画像データのファイル名、画像設定枠のX座標、Y座標、高さ、幅の情報を管理する構成となっている。
【００２８】
以後、この電子アルバムにおけるページ単位を管理する<page>要素が対応するページ数分だけ並ぶ構造となる。以上のような構造をもつXML形式のデータを使用することにより、デジタルスチルカメラは電子アルバムの情報を管理する。
【００２９】
図１１（ｂ）は、デジタルスチルカメラ１００が、図１１（ａ）のXML形式の電子アルバムデータを解釈することにより生成する電子アルバムの表示形式（レイアウト）の一例を示す図である。Ａ４サイズの電子アルバムの各ページには、ページの左上を原点とし、対応する座標に二つの画像設定枠が存在している。また、ページ１の画像設定枠にはすでに画像が設定されている様子を示している。
【００３０】
図３のフローチャートの説明に戻る。
Ｓ３０８では、先に説明した図１１（ａ）で表される電子アルバムデータが読み出される。次に、Ｓ３０９では、Ｓ３０８において読み出された電子アルバムデータを液晶画面２０２に表示する処理が行われる。これにより、液晶画面２０２には図１１（ｂ）の電子アルバム表示が行われる。次に、Ｓ３１０において、画像データを設定する対象となる画像設定枠に対して、次の撮影画像の設定対象となる画像設定枠に、撮影画像を表示する処理が行われる。
【００３１】
ここまでの処理を実行することにより、デジタルスチルカメラ１００は、ユーザによるレリーズスイッチ２０１の半押しをきっかけとして、フォーカス調整、露出調整のような撮影条件調整を実行して、複数の撮像パラメータに従った撮影準備を完了できる。当該撮影準備が完了した後、作成中の電子アルバムデータのレイアウトを表示する。したがって、撮影対象の静止画像の撮影準備が完了したことに応じて、撮影画像を画面全体に表示する状態から、撮影画像を電子アルバムのレイアウト上の画像設定枠内に表示する状態に移行することができる。
【００３２】
これにより、撮影される画像が、どのように電子アルバムに配置されるのかといった、仕上がりイメージをユーザに提示することが可能となる。最終的には、図７（ａ）に示すように、デジタルスチルカメラ１００が液晶画面２０２に電子アルバムと撮影画像を表示することができる。
【００３３】
撮影画像が配置される位置は、電子アルバムデータに記述された情報に従って決定される。図１１（ａ）の電子アルバムデータにおいて、まだ画像データが設定されていない<pageNumber=”１”>要素内の<PictureFrameID=”２">要素の画像設定枠において、撮影画像を表示していることが分かる。以上の処理が完了後、フローはＳ３１１に移行する。
【００３４】
Ｓ３１１では、先のＳ３０３で判定した、ユーザによるレリーズスイッチ２０１が半押し状態が解除されたか否かの判定が行われる。この判定の結果、半押し状態が解除された場合にはＳ３１２へ移行し、Ｓ３１２で液晶画面の表示を先のＳ３０９で設定した電子アルバム表示の状態から通常の全画面表示の状態に変更する処理を実行後、Ｓ３０１の処理に移行する。一方、レリーズスイッチ２０１の半押し解除を検出できなかった場合には、Ｓ３１３に移行する。
【００３５】
次に、Ｓ３１３では、レリーズスイッチ２０１が撮像開始指示を示す全押し状態か否かの判定が行われる。ユーザによりレリーズスイッチ２０１の全押しが実行された場合には、Ｓ３１４に移行して撮影処理及び記録処理が実行され、画像データが生成される。次に、Ｓ３１５へ移行し、生成された画像データを電子アルバムに登録する処理が行われる。
【００３６】
本実施形態では、前述した電子アルバムデータの<pageNumber=”１”>要素内の<PictureFrameID=”２">要素の画像設定枠における<FileName>要素に画像データのファイル名を記載することを意味している。その後、Ｓ３１６において、液晶画面２０２の表示を通常の撮影画像に戻す処理を実行した後、Ｓ３０１へと戻る。また、Ｓ３１３において、レリーズスイッチ２０１の全押しが実行されなかった場合にはＳ３１１の処理に戻る。
【００３７】
以上説明したように、本実施形態のデジタルスチルカメラ１００は、撮影中にレリーズスイッチ２０１が半押しされると、撮像中の撮像画像をアルバムの形態で表現した画像を液晶画面２０２に表示する。これにより、ユーザは画角合わせや撮影パラメータの設定などを行う際には、通常の液晶画面全体を使った撮影画像の表示を見ながら確認することができる。加えて、撮影処理により実際の画像データを作成する前段階で、ユーザの操作に応じて電子アルバムの内容を適時確認することができる。したがって、撮影した画像が意図しない形で電子アルバムに反映されることを未然に防ぐことが可能になる。
【００３８】
また、本実施形態においては、レリーズスイッチ２０１の半押しを検出することにより、液晶画面２０２の表示を撮影画像から電子アルバムの表示に切り替える手法を説明したが、これ以外にも様々な手法が考えられる。
【００３９】
図７（ｂ）の例は、ＣＰＵ１０３にタイマー機能を持たせることにより、所定の時間計測を行って時間情報を取得する機能を持たせる。これにより、レリーズスイッチ２０１の半押しを検出したことをきっかけとし、レリーズスイッチ２０１が半押しされている間、所定の時間間隔で液晶画面２０２の表示を電子アルバムの表示と撮影画像の表示で交互に切り替える実施形態を実現することができる。これにより、電子アルバムの内容と、撮影画像の双方を確認することが可能になる。
【００４０】
図７（ｃ）の例は、デジタルスチルカメラ１００に搭載されている電子ビューファインダを活用した例である。レリーズスイッチ２０１の半押しを検出したことをきっかけとして、液晶画面２０２の内容を通常の撮影中の表示から電子アルバムの表示に切り替え、ＥＶＦ２０３は通常の撮影画像の表示状態を継続する実施形態である。これにより、電子アルバムの内容と、撮影画像の双方を適時確認することが可能になる。また、液晶画面２０２に撮影画像を表示し、電子ビューファインダ内に電子アルバムの画面を表示するという逆の表示手法も可能である。
【００４１】
図７（ｄ）の例は、デジタルスチルカメラ１００に、デジタルインターフェースを介して接続されている外部モニターを第２の表示装置として活用する例である。そして、レリーズスイッチ２０１の半押しを検出したことをきっかけとして、外部モニターの内容を通常表示している撮影画像から電子アルバムの表示に切り替える実施形態を実現できる。このとき液晶画面２０２は通常の撮影画像の表示状態を継続する。これにより、電子アルバムの内容と、撮影画像の双方を適時に確認することが可能になる。また、外部モニターに撮影画像を表示し、液晶画面２０２に電子アルバムの画面を表示するという逆の表示手法も可能である。したがって、撮影画像及び前記表示用成形データのうちの何れか一方を液晶画面２０２に表示し、他方を外部モニターに表示することができる。
【００４２】
図７（ｅ）の例は、まずレリーズスイッチ２０１の半押しを検出したことをきっかけとして、仮の画像データを一枚取得する。その後、その画像データを使って、電子アルバム内で画像データを設定することが可能な複数の画像設定枠に画像データを当てはめた結果を一覧表示として表示する手法も可能にする例である。例えば、本実施形態における図１１（ａ）の電子アルバムデータの例では、ページ１とページ２を合わせて三つの未設定となっている画像設定枠が存在している。この場合、図７（ｅ）のように、三通りの候補を提示することを意味する。また、これら三候補を選択可能にすることにより、ユーザに編集権限を与えることも可能である。これにより、撮影前に電子アルバムの簡単な編集処理を行うことも可能である。画像設定枠は三つ以外の複数備えてもよい。
【００４３】
本実施形態においては、レリーズスイッチ２０１の半押しをきっかけとした処理の中で、Ｓ３０４、Ｓ３０５に示したように、ＡＦの調整と露出の調整という撮影パラメータの調整処理を先に実行後、電子アルバムデータの表示を実行する例を示した。
【００４４】
また、本実施形態においては、図１１（ａ）に示すように、電子アルバムデータを記述する方法としてXML形式のデータ構造を例に説明したが、XML以外の記述方法を利用してもかまわない。例えば、一般的なWebページを記載するためのマークアップ言語であるHTMLやXHTMLを活用する方法も考えられる。
【００４５】
また、米国アドビシステムズ社により開発され、電子書物を管理するファイル形式であって、画像データの取り扱いも可能なPDF(PortableDocumentFormat：米国アドビシステムズ社の商標)形式のデータを活用する方法も考えられる。さらに、プリンタでの印刷処理を実施する場合に、プリンタに対して印刷物の描画を指示するために使用されるページ記述言語（PDL: PageDescriptionLanguage）を活用する方法も考えられる。ページ記述言語としては、米国アドビシステムズ社により開発されたポストスクリプト（PostScript：米国アドビシステムズ社の商標）や、キヤノン製のプリンタにおいて使用されるLIPS等を活用することが考えられる。
【００４６】
（第２の実施形態）
次に、本発明を適用したデジタルスチルカメラに関する第２の実施形態を説明する。
本実施形態におけるデジタルスチルカメラ１００の構成は、前述した第１の実施形態で説明した図１のブロック図と、図２の外観図に準拠した構成である。また、第１の実施形態と同様に、撮影しながら電子アルバムを作成することが可能であり、電子アルバムデータとしては、図１１に示すデータ構造で管理する。
【００４７】
次に、図４のフローチャートを参照しながら第２の実施形態のデジタルスチルカメラ１００の動作を説明する。図４は、本実施形態のデジタルスチルカメラ１００が、画像を撮影しながら電子アルバムを作成する手順の一例を説明するフローチャートである。本フローチャートは、コンピュータを有するＣＰＵ１０３の動作の制御内容を図示したものである。
図４のフローチャートは、基本的に第１の実施形態において説明した図３のフローチャートと同じである。Ｓ４００〜Ｓ４０６の処理は、Ｓ３００〜Ｓ３０８と同じ、Ｓ４１１〜Ｓ４１７の処理は、Ｓ３１０〜Ｓ３１６と同じである。図４のフローチャートにおいて特徴的な部分は、Ｓ４０７からＳ４１０までの処理である。
【００４８】
Ｓ４０７では、デジタルスチルカメラ１００が有する姿勢検知部１１３を活性化することによりカメラの姿勢を検知する処理を行い、デジタルスチルカメラ１００が縦姿勢なのか、或いは横姿勢なのかを示す姿勢情報を取得する。なお、ユーザは構図を決める過程で、デジタルスチルカメラ１００を縦姿勢に構えたり、横姿勢に構えたりする。このようなケースを想定して、デジタルスチルカメラ１００は、姿勢検知部１１３の検知結果から、撮影動作中のカメラ姿勢を検知できる機能を有している。
【００４９】
次に、Ｓ４０８では、Ｓ４０６の処理で読み出した電子アルバムデータにおいて、次の配置対象となる画像設定枠が縦向きの画像設定枠か、横向きの画像設定枠かを確認し、Ｓ４０７で検出したデジタルスチルカメラ１００自身の姿勢情報との比較処理を行う。この比較の結果、表示用データ内で次の撮影画像の設定対象となる画像設定枠の縦横比とデジタルスチルカメラ１００の姿勢とに不一致があった場合は、Ｓ４１０に移行する。一方、不一致がなかった場合は、第１の実施形態におけるＳ３０９の処理と同様にＳ４０９の処理に移行する。
【００５０】
Ｓ４１０では、図８に示すように、液晶画面２０２に、画像設定枠とデジタルスチルカメラ１００の姿勢に不一致があることを警告するメッセージを表示する。これにより、ユーザは撮影しようとする画像が、電子アルバムに対して上手く反映されない可能性があることを強く意識することが可能になり、カメラの姿勢や撮影の構図を変更する動機付けとなる。
【００５１】
警告メッセージの表示後はＳ４０９へ移行し、その後の処理で同じく図８に示すように画像設定枠とデジタルスチルカメラ１００の縦横に不一致が発生した状態の電子アルバムと撮影画像が液晶画面２０２に表示される。これにより、警告メッセージを通して縦横の向きの不一致を認識した後、電子アルバム画面でも不一致となる様子を実際に認識することが可能になる。このため、不本意な形で撮影画像が電子アルバムに反映されてしまう可能性を減らすことが可能になる。
【００５２】
本実施形態においては、図８に示すように、電子アルバム画面を表示する前に、警告メッセージの表示を全画面で行う例を説明したが、電子アルバム画面を表示した後に警告メッセージの表示を全画面で行うようにしてもよい。また、表示した電子アルバム画面の中で警告メッセージを表示するようにしてもよい。
【００５３】
また、本実施形態において説明した、ユーザが撮影しようとしている画像と、電子アルバムデータとの不一致を警告するメッセージは、警告する必要がなくなった時点で表示されなくなるものである。つまり図８の例で見ると、ユーザによりカメラの姿勢が縦向きに変更されたことにより、画像設定枠の縦横比と一致する状態に変化したことを姿勢情報から検知できた場合には、警告メッセージの表示を消去するように制御する。これにより、ユーザは不一致が発生していないことを認識することが可能になる。
【００５４】
また、第１の実施形態において、図７を用いて説明したレリーズスイッチ２０１の半押しを検知してからの、様々な電子アルバムデータの様々な表示形態に対しても同様に警告メッセージの表示は可能である。警告メッセージを表示させるタイミングは、電子アルバムを表示させる前でも後でもよい。
【００５５】
前述したように、本実施形態を適用した電子アルバム作成機能付きデジタルスチルカメラによれば、レリーズスイッチの半押しを検出することにより、液晶画面への表示を通常の撮影画像の表示から電子アルバム画面へ切り替えることができる。これにより、撮影時のカメラパラメータの設定変更や、その効果を確認する際は通常の撮影中の画面と同じであるため、液晶画面を目一杯使用した表示形態において確認することができる。よって、撮影準備前から電子アルバムを画面に表示したら撮影パラメータの効果を確認し辛いといった不便さを改善する効果が期待できる。また、撮影する画像が電子アルバムにどのように適用され、出来上がりがどのようになるのかを実際の撮影処理を実行する前に確認することができる。このため、電子アルバムに反映される結果が気に入らない場合には、撮影処理自体を止めることができる。よって無駄な修正処理を利用者に要求することはなく、利用者にとっての不便を改善する効果も期待できる。
【００５６】
（第３の実施形態）
次に、本発明を適用したデジタルスチルカメラに関する第３の実施形態を説明する。先の第１、第２の実施形態においては、レリーズスイッチ２０１の半押しをきっかけとして、電子アルバムデータの画面を表示する例を説明した。しかしながらレリーズスイッチ２０１の半押し時には撮影パラメータに従ったカメラの各種設定も行われる。ユーザによっては、撮影パラメータによる調整結果を、液晶画面２０２全体を使用した大きな画面で確認し、撮影パラメータの設定を異なる値に変えて頻繁にやり直すことを望むことが想定される。
【００５７】
そこで、本実施形態においては、撮影動作中に、撮影パラメータの調整結果を、液晶画面２０２全体を使用して確認した後、他の手法によって電子アルバムへの反映結果を確認する方法を説明する。
【００５８】
本実施形態におけるデジタルスチルカメラ１００の構成は、前述した第１の実施形態で説明した図１のブロック図と、図２の外観図に準拠した構成である。また、第１の実施形態と同様に、撮影しながら電子アルバムを作成することが可能であり、電子アルバムデータとしては、図１１に示すデータ構造で管理する。
【００５９】
次に、図５のフローチャートを参照しながら第３の実施形態のデジタルスチルカメラ１００の動作を説明する。図５は、本実施形態のデジタルスチルカメラ１００が、画像を撮影しながら電子アルバムを作成する手順の一例を説明するフローチャートである。本フローチャートは、コンピュータを有するＣＰＵ１０３の動作の制御内容を図示したものである。
【００６０】
図５のフローチャートは、基本的に第１の実施形態において説明した図３のフローチャートと同様であり、Ｓ５００〜Ｓ５０７の処理は、Ｓ３００〜Ｓ３０７と同じである。
【００６１】
Ｓ５０８において、撮影準備ができたことを条件として、液晶画面２０２に電子アルバム確認アイコンの表示を行う。電子アルバム確認アイコンとは、図９（ａ）のレリーズスイッチ２０１半押し状態を想定した画面の右下に表示してあるアルバムの形をしたアイコンである。ユーザに対して、電子アルバムに追加できる静止画の撮影準備ができたこと、そして、撮影画像が、電子アルバムにどのように配置されるかを確認することができることなどを通知する役目を担っている。なお、本実施形態では所定のアイコンを例に記載しているが、アイコンに限らず、文字やマークなど選択を促すメニューであっても良い。
【００６２】
Ｓ５０９では、先のＳ５０３で判定した、ユーザによるレリーズスイッチ２０１が半押し状態が解除されたか否かの判定が行われる。この判定の結果、半押し状態が解除された場合にはＳ５１０へ移行し、Ｓ５１０において、液晶画面２０２に対してＳ５０８で表示した電子アルバム確認アイコンを非表示にし、通常の撮影表示に変更する処理を実行後、Ｓ５０１の処理に移行する。一方、レリーズスイッチ２０１の半押し解除を検出できなかった場合には、Ｓ５１１に移行する。
【００６３】
ここまでの処理を実行することにより、デジタルスチルカメラ１００は、ユーザによるレリーズスイッチ２０１の半押しをきっかけとして、フォーカス調整、露出調整、シャッター速度、ＩＳＯ感度等、複数の撮影条件による調整を実行して、撮影準備を完了できる。この時ユーザは、液晶画面２０２において、撮影画像に対する撮影パラメータの調整結果を確認することができる。もし、撮影パラメータの設定を変更したいならば、レリーズスイッチ２０１の半押しを解除して、Ｓ５０１からやり直すことができる。この間は、電子アルバム確認アイコンを表示するだけで、電子アルバム画面には遷移しないので、撮影準備が完了した撮影画像の確認行為を妨げることはない。
【００６４】
次に、Ｓ５１１では、電子アルバム確認アイコンが選択されたか否かの判定が行われる。本実施形態において電子アルバム確認アイコンの選択とは、図９（ｂ）に示すようにレリーズスイッチ２０１の半押しを保持した状態でＳＥＴ釦２０５が押される状態を意味する。ここで、電子アルバム確認アイコンの選択が確認できなかった場合はＳ５１５へ移行する。逆に電子アルバム確認アイコンの選択を確認した場合には、Ｓ５１２へ移行する。
【００６５】
Ｓ５１２では、先に説明した図１１（ａ）で表される電子アルバムデータが読み出される。次に、Ｓ５１３では、Ｓ５１２において読み出された電子アルバムデータを液晶画面２０２に表示する処理が行われる。これにより、液晶画面２０２には図１１（ｂ）の電子アルバム表示が行われる。
【００６６】
次に、Ｓ５１４において、画像データを設定する対象となる画像設定枠に対して、次の撮影画像の設定対象となる画像設定枠に、撮影画像を表示する処理が行われる。したがって、撮影準備が完了した後に表示される電子アルバム確認アイコンがユーザによって選択指示されたことに応じて、撮影画像を画面全体に表示する状態から、撮影画像を電子アルバムのレイアウト上の画像設定枠内に表示する状態に移行することができる。
【００６７】
これにより図９（ｂ）に示すように、撮影される画像が、どのように電子アルバムに配置されるのかといった、仕上がりイメージをユーザに提示することが可能となる。以上の処理が完了後、フローはＳ５１５に移行する。
【００６８】
次に、Ｓ５１５では、レリーズスイッチ２０１が撮像開始指示を示す全押し状態か否かの判定が行われる。ユーザによりレリーズスイッチ２０１の全押しが実行された場合には、Ｓ５１６に移行して撮影処理及び記録処理が実行され、画像データが生成される。一方、レリーズスイッチ２０１の全押しが実行されなかった場合は、Ｓ５０９の処理に戻る。Ｓ５１６の撮影処理の後、Ｓ５１７へ移行し、生成された画像データを電子アルバムに登録する処理が行われる。その後、Ｓ５１８において、液晶画面２０２の表示を通常の撮影画像に戻す処理を実行した後、Ｓ５０１へと戻る。
【００６９】
以上説明したように、本実施形態のデジタルスチルカメラ１００は、撮影中にレリーズスイッチ２０１が半押しされると、撮影パラメータによる各種調整を実行後、電子アルバム確認アイコンを表示する。またさらに、ユーザが電子アルバム確認アイコンを選択することにより電子アルバムデータを液晶画面２０２に表示することも可能である。これにより、ユーザは撮影パラメータの設定などを行う際には、通常の液晶画面２０２全体を使った撮影画像の表示を見ながら確認することができる。加えて、撮影処理により実際の画像データを作成する前段階で、ユーザの操作に応じて電子アルバムの内容を適時確認する機会を得ることができる。したがって、撮影した画像が意図しない形で電子アルバムに反映されることを未然に防ぐことが可能になる。
【００７０】
また、本実施形態においては、レリーズスイッチ２０１の半押しを検出することにより、電子アルバム確認アイコンを表示する。そして、アイコンが選択されることで液晶画面２０２の表示を撮影画像から電子アルバムの表示に切り替える手法を説明したが、第１の実施形態と同様にこれ以外にも様々な手法が考えられる。
【００７１】
図９（ｃ）の例は、ＣＰＵ１０３にタイマー機能を持たせることにより、所定の時間計測を行って時間情報を取得する機能を持たせる。これにより、レリーズスイッチ２０１の半押し時に電子アルバム確認アイコンが選択されたことをきっかけとして、所定の時間間隔で液晶画面２０２の表示を電子アルバムの表示と撮影画像の表示で交互に切り替える実施形態を実現することができる。これにより、電子アルバムの内容と、撮影画像の双方を確認表示することが可能になる。
【００７２】
図９（ｄ）の例は、デジタルスチルカメラ１００に搭載されている電子ビューファインダを活用した例である。レリーズスイッチ２０１の半押し時に電子アルバム確認アイコンが選択されたことをきっかけとして、液晶画面２０２の内容を通常の撮影中の表示から電子アルバムの表示に切り替え、ＥＶＦ２０３は通常の撮影画像の表示状態を継続する実施形態である。これにより、電子アルバムの内容と、撮影画像の双方を適時確認することが可能になる。また、液晶画面２０２に撮影画像を表示し、電子ビューファインダ内に電子アルバムの画面を表示するという逆の表示手法も可能である。
【００７３】
図９（ｅ）の例は、デジタルスチルカメラ１００に、デジタルインターフェースを介して接続されている外部モニターを第２の表示装置として活用する例である。そして、レリーズスイッチ２０１の半押し時に電子アルバム確認アイコンが選択されたことをきっかけとして、外部モニターの内容を通常表示している撮影画像から電子アルバムの表示に切り替える実施形態を実現できる。このとき液晶画面２０２は通常の撮影画像の表示状態を継続する。これにより、電子アルバムの内容と、撮影画像の双方を適時に確認することが可能になる。また、外部モニターに撮影画像を表示し、液晶画面２０２に電子アルバムの画面を表示するという逆の表示手法も可能である。したがって、撮影画像及び前記表示用成形データのうちの何れか一方を液晶画面２０２に表示し、他方を外部モニターに表示することができる。
【００７４】
図９（ｆ）の例は、まずレリーズスイッチ２０１の半押し時に電子アルバム確認アイコンが選択されたことをきっかけとして、仮の画像データを一枚取得する。その後、その画像データを使って、電子アルバム内で画像データを設定することが可能な複数の画像設定枠に画像データを当てはめた結果を一覧表示として表示する手法も可能にする例である。
【００７５】
例えば、本実施形態における図１１（ａ）の電子アルバムデータの例では、ページ１とページ２を合わせて三つの未設定となっている画像設定枠が存在している。この場合、図９（ｆ）のように、三通りの候補を提示することを意味する。また、これら三候補を選択可能にすることにより、ユーザに編集権限を与えることも可能である。これにより、撮影前に電子アルバムの簡単な編集処理を行うことも可能である。画像設定枠は三つ以外の複数備えてもよい。
【００７６】
（第４の実施形態）
次に、本発明を適用したデジタルスチルカメラに関する第４の実施形態を説明する。第１から第３の実施形態においては、撮影処理を指示するレリーズスイッチ２０１の全押しの前に、電子アルバムへの登録内容を事前に確認する処理について述べた。本実施形態では、レリーズスイッチ２０１の全押しの直後、すなわち実際に撮影処理が実行された後に、撮影された画像を使用して電子アルバム表示するよう制御する例を説明する。
【００７７】
本実施形態におけるデジタルスチルカメラ１００の構成は、前述した第１の実施形態で説明した図１のブロック図と、図２の外観図に準拠した構成である。また、第１の実施形態と同様に、撮影しながら電子アルバムを作成することが可能であり、電子アルバムデータとしては、図１１に示すデータ構造で管理する。
【００７８】
次に、図６のフローチャートを参照しながら第４の実施形態のデジタルスチルカメラ１００の動作を説明する。図６は、本実施形態のデジタルスチルカメラ１００が、画像を撮影しながら電子アルバムを作成する手順の一例を説明するフローチャートである。本フローチャートは、コンピュータを有するＣＰＵ１０３の動作の制御内容を図示したものである。
【００７９】
Ｓ６００において、電子アルバム作成モードに入ることにより処理が開始される。Ｓ６０１において、ユーザによる撮影準備の操作に対応する。ここで撮影準備とは、焦点距離や絞り、シャッター速度の変更といった、撮影前にユーザによって行われる操作全般を意味している。撮影準備が完了すると、実際の撮影が行われ、このときＳ６０２としてレリーズスイッチ２０１の全押しがユーザにより行われる。レリーズスイッチ２０１の全押しをきっかけとして、Ｓ６０３では撮影処理及び記録処理が実行され、撮影画像が取り込まれ、記録媒体に記録される。Ｓ６０４では、取り込まれた画像を用いてデジタルデータとしての静止画データの生成が行われる。Ｓ６０５では生成された静止画データに係る画像を液晶画面２０２に表示し、撮影画像の確認を促す確認画面（レックレビュー画面）の表示を行う。ここまでの処理を持って通常の静止画撮影処理は完了する。
【００８０】
次にＳ６０６において、電子アルバム確認アイコンが表示される。電子アルバム確認アイコンは、先の第３の実施形態において説明したアイコンと同一のものを想定する。勿論、アイコンに限らず、文字やマークなど選択を促すメニューであっても良い。つまり、レリーズスイッチ２０１の全押し後に表示されるレックレビュー画面に電子アルバム確認アイコンを表示することにより、撮影画像のレックレビューの表示状態から電子アルバムの表示状態へ画面遷移を可能にするものである。また、レックレビューの段階では撮影画像の静止画データを未だ電子アルバムに登録していないので、電子アルバムの登録される画像をユーザが確認する機会を用意するものである。なお、本実施形態においても、電子アルバム確認アイコンの選択とは、レックレビュー画面中にＳＥＴ釦２０５が操作される状態とする。
【００８１】
Ｓ６０９では、電子アルバム確認アイコンが選択されたことを意味している。先に説明した図１１（ａ）で表される電子アルバムデータが読み出される。次に、Ｓ６１０では、Ｓ６０９において読み出された電子アルバムデータを液晶画面２０２に表示する処理が行われる。これにより、液晶画面２０２には図１１（ｂ）の電子アルバム表示が行われる。次に、Ｓ６１１において、画像データを設定する対象となる画像設定枠に対して、次の撮影画像の設定対象となる画像設定枠に、直前に撮影した静止画を表示する処理が行われる。
ここまでの処理により、デジタルスチルカメラ１００はレックレビューの機会を利用して、対象となる画像設定枠に撮影した画像を表示した電子アルバムを表示することができる。さらに、レックレビュー表示中に電子アルバム確認アイコンを選択するか否かに応じて、撮影した静止画を電子アルバムに登録するか否かを選択できる機会をユーザに提供することができる。
【００８２】
図１０（ａ）はこのＳ６０６からＳ６１１までの処理の結果を表現した図である。ＳＥＴ釦２０５が操作されたことをきっかけに電子アルバム確認画面が表示されていることが確認できる。
【００８３】
次に、この電子アルバムが表示された状態で、Ｓ６１２ではＳＥＴ釦２０５が押されたか否かの判定が行われる。ＳＥＴ釦２０５が押された場合はＳ６１３へ移動し、静止画データと対象の画像設定枠との関連付けを含む電子アルバムの登録作業を行って、Ｓ６０１へ移行する。一方、ＳＥＴ釦２０５が押されていない場合は、Ｓ６１４へ移行する。
【００８４】
Ｓ６１４では、ズーム釦２０４が操作されたか否かの判定が行われる。ズーム釦２０４の操作が確認された場合はＳ６１５に移行し、電子アルバム画面を保った状態で、ズーム釦２０４の操作に応じて画像設定枠内で撮影した静止画の再生ズーム処理を行う。
【００８５】
図１０（ｂ）は、その時の画面遷移の様子を表現している。ズーム釦２０４の望遠側が操作されることにより、画像設定枠内の画像に再生ズームが施されている様子が見て取れる。Ｓ６１５の後はＳ６１８に移行する。Ｓ６１４でズーム釦２０４の操作が確認されなかった場合は、Ｓ６１６へ移行し、上下左右釦２０６が操作されたか否かの判定が行われる。上下左右釦２０６の操作が確認された場合はＳ６１７へ移行し、再生ズームされている場合にその倍率を保ちつつ、画像設定枠内に表示される画像領域を操作された方向に移動させる処理を行う。
【００８６】
図１０（ｃ）は、その時の画面遷移の様子を表現している。上下左右釦２０６の右釦が操作されることにより、ズーム倍率を保ったまま表示される静止画領域が変化している様子が見て取れる。なお、画像がズームしていない場合（フルサイズで表示されている場合）には上下左右釦２０６の移動指示は無効になる。
【００８７】
Ｓ６１７を実行した後は、Ｓ６１８に移行する。Ｓ６１６で上下左右釦２０６の操作が確認されなかった場合にも、Ｓ６１８へ移行する。
Ｓ６１８では、静止画データの電子アルバムへの登録をキャンセルするか判定し、ユーザからキャンセルの指示を受けつけた場合はＳ６１９へ移行し、キャンセルの指示を受けつけていない場合はＳ６１２へ移行する。Ｓ６１９では、撮影した静止画データを電子アルバムに登録せずにアルバム表示を終了する。同時にレックレビューも終了となる。Ｓ６１９の後は、Ｓ６０１に移行し、次の画像の撮影スタンバイ状態となる。
【００８８】
このＳ６１４からＳ６１７までの処理は、電子アルバム画面の画像設定枠内で撮影した画像の再生ズーム処理及び画像の移動処理を行っていることを意味している。この画像設定枠における再生ズームが行われた状態で、Ｓ６１２でＳＥＴ釦２０５が押されると、Ｓ６１３において、画面に表示されている領域の画像が電子アルバムに登録される。つまり、画像設定枠の範囲で静止画がトリミングされて、電子アルバムへの登録が行われることを意味している。
【００８９】
以上説明したように、本実施形態のデジタルスチルカメラ１００は、レリーズスイッチ２０１の全押し直後のレックレビュー画面表示中に電子アルバム確認アイコンを表示することで、ユーザに電子アルバムの確認の機会を提供することが可能である。これによりユーザは、撮影された画像が電子アルバムに登録される前に、電子アルバムへの反映結果を確認しながら再生ズームに対応付けられたトリミング処理を実行することができる。これにより撮影した画像の電子アルバムへの登録形態を調整することができる。
【００９０】
この処理は一連の撮影処理の中で行うことが可能であり、撮影しながら逐次電子アルバムへの画像登録を適切に行うことが可能である。これにより撮影後に、既に登録されている複数の画像に対して電子アルバムへの登録形態をまとめて修正しなければならなくなるようなわずらわしさを軽減することが期待できる。
【００９１】
本実施形態では、撮影した画像の電子アルバム上での反映状態を確認するきっかけとして、Ｓ６０６で電子アルバム確認アイコンを表示する例を説明した。しかしながら、必ずしもアイコンを表示する必要はない。つまりＳ６０５のレックレビュー後、タイマー機能などを活用し、一定の時間が経過したことをきっかけとしてＳ６０９に移行するといった実施形態も考えられる。
【００９２】
本実施形態では、電子アルバム確認画面中に発生する再生ズーム操作を画像設定枠に反映させ、その結果をトリミングによる電子アルバムへの登録として利用した。これにより、電子アルバムへの実際の登録の前段で、電子アルバムへの反映を意識しながら画像の登録形態を調整することができる。しかしながら、より明確な意図を持ってトリミング登録を行うことも可能である。例えば、Ｓ６０６の電子アルバム確認アイコンを表示する以外に、「トリミング登録アイコン」といった専用のアイコンを表示してもかまわない。ユーザが「トリミング登録アイコン」を選択することでトリミング前提による画像登録を実現する方法も可能である。
【００９３】
（その他の実施形態）
前述した本発明の実施形態における撮像装置を構成する各手段、並びに撮像方法の各工程は、コンピュータのＲＡＭやＲＯＭなどに記憶されたプログラムが動作することによって実現できる。このプログラム及び前記プログラムを記録（記憶）したコンピュータ読み取り可能な記録媒体（記憶媒体）は本発明に含まれる。
【００９４】
また、本発明は、例えば、システム、装置、方法、プログラムもしくは記録媒体（記憶媒体）等としての実施形態も可能であり、具体的には、複数の機器から構成されるシステムに適用してもよいし、また、一つの機器からなる装置に適用してもよい。
【００９５】
なお、本発明は、前述した実施形態の機能を実現するソフトウェアのプログラム（実施形態では図３，４，５，６に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００９６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００９７】
その場合、プログラムの機能を有していれば、オブジェクトコード、インタプリタにより実行されるプログラム、ＯＳに供給するスクリプトデータ等の形態であってもよい。
【００９８】
プログラムを供給するための記録媒体（記憶媒体）としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００９９】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体（記憶媒体）にダウンロードすることによっても供給できる。
【０１００】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０１】
また、その他の方法として、本発明のプログラムを暗号化してＣＤ−ＲＯＭ等の記録媒体（記憶媒体）に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０２】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１０３】
さらに、その他の方法として、まず記録媒体（コンピュータ読み取り可能な記憶媒体）から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【０１０４】
１０１  撮像素子、１０２  撮像制御部、１０３  ＣＰＵ、１０４  表示制御部、１０５  表示部、１０６  記録制御部、１０７  記録媒体、１０８  ＳＤＲＡＭ制御部、１０９  ＳＤＲＡＭ、１１０  画像処理部、１１１  内部ＲＡＭ、１１２  姿勢検知制御部、１１３  姿勢検知部、１１４  操作部
【図１】
2011176794.tif 000003
【図２】
2011176794.tif 000004
【図３】
2011176794.tif 000005
【図４】
2011176794.tif 000006
【図５】
2011176794.tif 000007
【図６】
2011176794.tif 000008
【図７】
2011176794.tif 000009
【図８】
2011176794.tif 000010
【図９】
2011176794.tif 000011
【図１０】
2011176794.tif 000012
【図１１】
2011176794.tif 000013